(57)【要約】【課題】束単位で出金するように構成された紙幣処理装置において、取り忘れた紙幣束を、次の取引に支障を来すことなく回収及び保管する。【解決手段】外部と連通可能な出金部２と、帯封紙Ｐによって結束された紙幣束Ｗを収納する収納部３と、利用者による出金要求に応じて、紙幣束Ｗを収納部３から出金部２まで搬送する出金処理を行うように構成された制御部１２０とを備えた紙幣処理装置１００に関する。この紙幣処理装置１００は、紙幣束Ｗを収納可能な回収ボックス４を備え、制御部１２０は、出金処理によって搬送された紙幣束Ｗの取り忘れが起きたと判定した場合、その紙幣束Ｗを、出金部２から回収して回収ボックス４に収納する回収処理を実行するように構成されている。【選択図】図４
2017117123.tif 000002
【特許請求の範囲】
【請求項１】
外部と連通可能な出金部と、帯封紙によって結束された紙幣束を収納する収納部と、利用者による出金要求に応じて、前記紙幣束を前記収納部から前記出金部まで搬送する出金処理を行うように構成された制御部とを備えた紙幣処理装置であって、
前記紙幣束を収納可能な第２の収納部を備え、
前記制御部は、前記出金処理によって搬送された紙幣束の取り忘れが起きたと判定した場合、該紙幣束を、前記出金部から回収して前記第２の収納部に収納する回収処理を実行するように構成されている紙幣処理装置。
【請求項２】
請求項１に記載の紙幣処理装置において、
前記出金処理によって搬送される紙幣束から、該紙幣束を特定するための束情報を取得する束判別部を備える紙幣処理装置。
【請求項３】
請求項２に記載の紙幣処理装置において、
前記束判別部は、前記回収処理によって回収される紙幣束から、前記束情報を取得するように構成され、
前記制御部は、前記出金処理において取得された束情報と、前記回収処理において取得された束情報とを照合する紙幣処理装置。
【請求項４】
請求項２又は請求項３に記載の紙幣処理装置において、
前記束判別部は、前記束情報として、前記紙幣束の帯封紙に印字されたデータを取得する紙幣処理装置。
【請求項５】
請求項２から請求項４のいずれか１つに記載の紙幣処理装置において、
前記束判別部は、前記束情報として、前記紙幣束を形成している紙幣の特徴情報を取得する紙幣処理装置。
【請求項６】
請求項２から請求項５のいずれか１つに記載の紙幣処理装置において、
前記束判別部は、前記紙幣束の紙面から前記束情報を取得するラインセンサを有する紙幣処理装置。
【請求項７】
請求項２から請求項６のいずれか１つに記載の紙幣処理装置において、
前記出金処理を行うように操作した利用者を特定するための利用者情報を取得する利用者判別部を備え、
前記制御部は、前記利用者判別部により取得された利用者情報と、前記束判別部により取得された束情報とを紐付けるよう構成されている紙幣処理装置。
【請求項８】
請求項７に記載の紙幣処理装置において、
前記利用者判別部は、前記利用者の画像データを取得する撮像手段を有し、
前記制御部は、前記利用者情報として、前記撮像手段により取得された前記画像データを前記束情報と紐付ける紙幣処理装置。
【請求項９】
請求項２から請求項８のいずれか１つに記載の紙幣処理装置において、
前記制御部は、前記出金処理を利用した一取引に関する取引情報と、前記束判別部により取得された束情報とを紐付けるよう構成されている紙幣処理装置。
【請求項１０】
請求項９に記載の紙幣処理装置において、
前記制御部は、前記取引情報として、前記出金処理によって搬送された紙幣束の総額を前記束情報と紐付ける紙幣処理装置。
【請求項１１】
請求項９又は請求項１０に記載の紙幣処理装置において、
前記制御部は、前記取引情報として、前記出金処理が実行された時刻を前記束情報と紐付ける紙幣処理装置。
【請求項１２】
請求項１から請求項１１のいずれか１つに記載の紙幣処理装置において、
前記第２の収納部は、前記回収処理によって回収した紙幣束を収容する専用の収納部である紙幣処理装置。
【請求項１３】
請求項１から請求項１１のいずれか１つに記載の紙幣処理装置において、
前記紙幣束を収容する複数のカセットを備え、
前記複数のカセットは、前記収納部を構成するカセットと、前記第２の収納部を構成するカセットとを有する紙幣処理装置。
【発明の詳細な説明】
【技術分野】
【０００１】
ここに開示する技術は、紙幣処理装置に関する。
【背景技術】
【０００２】
特許文献１には、出金処理時に支払口に搬送された紙幣（紙幣の小束を含む）を取り忘れた場合、支払口を閉じるように構成された現金処理機が記載されている。
【０００３】
また特許文献２には、入出金口に出金された紙幣を取り忘れた場合に、その紙幣を入出金口から一枚ずつ回収するように構成された循環式入出金装置が記載されている。この入出金装置は、出金用の紙幣を金種別に収納する収納箱と、回収された紙幣を収納する回収箱とを備えている。
【先行技術文献】
【特許文献】
【０００４】
【特許文献１】特開２００３−１１５０６９号公報
【特許文献２】特開昭６１−２７６０９１号公報
【発明の概要】
【発明が解決しようとする課題】
【０００５】
ところで、束単位で出金するように構成された紙幣処理装置を、例えば金融機関の店舗におけるＡＴＭに併設することにより、一般の顧客との現金取引に利用する場合がある。
【０００６】
前記特許文献１に記載の現金処理機では、取り忘れた紙幣束は、支払口に留まることになるため、その紙幣束を支払口から取り出すまでは、次の取引を行うことができない。そのため、一般の顧客が操作をして利用する紙幣処理装置として、現金取引を円滑に行うには不都合である。
【０００７】
また、束単位で出金するように構成された紙幣処理装置は、紙幣一枚単位で出金する装置よりも取引額が高額となるため、取り忘れた紙幣束をより確実に回収し、厳正に保管することが要求される。前記特許文献２に記載の入出金装置は、束単位ではなく、紙幣を一枚ずつ回収するよう構成されているため、前記のような要求には対応できない。
【０００８】
ここに開示する技術は、かかる点に鑑みてなされたものであり、その目的とするところは、束単位で出金するように構成された紙幣処理装置において、取り忘れた紙幣束を、次の取引に支障を来すことなく回収及び保管することにある。
【課題を解決するための手段】
【０００９】
ここに開示する技術は、外部と連通可能な出金部と、帯封紙によって結束された紙幣束を収納する収納部と、利用者による出金要求に応じて、前記紙幣束を前記収納部から前記出金部まで搬送する出金処理を行うように構成された制御部とを備えた紙幣処理装置に係る。この紙幣処理装置は、前記紙幣束を収納可能な第２の収納部を備え、前記制御部は、前記出金処理によって搬送された紙幣束の取り忘れが起きたと判定した場合、該紙幣束を、前記出金部から回収して前記第２の収納部に収納する回収処理を行うように構成されている。
【００１０】
この構成によると、紙幣処理装置は、出金処理において搬送される紙幣束が収納された収納部とは別に、回収処理において回収された紙幣束が収納される第２の収納部を備えている。よって、取り忘れた紙幣束は、出金部に留まることなく、第２の収納部に束単位で収納されることになる。そのことで、取り忘れた紙幣束を、次の取引に支障を来すことなく回収及び保管することができる。紙幣処理装置は、紙幣束の取り忘れがあっても、継続して使用することが可能になる。
【００１１】
また、前記出金処理によって搬送される紙幣束から、該紙幣束を特定するための束情報を取得する束判別部を備える、としてもよい。
【００１２】
この構成によると、束情報を取得することにより、取り忘れが起きたことを受けて回収された紙幣束を特定することが可能となる。そのことで、第２の収納部に収納された紙幣束を厳正に管理すると共に、その紙幣束を利用者へ確実に返却する上で有利になる。
【００１３】
また、前記束判別部は、前記回収処理によって回収される紙幣束から、前記束情報を取得するように構成され、前記制御部は、前記出金処理において取得された束情報と、前記回収処理において取得された束情報とを照合する、としてもよい。
【００１４】
この構成によると、出金処理において取得された束情報と、回収処理において取得された束情報とを照合することによって、例えば出金部へ搬送された紙幣束と、第２の収納部に収納した紙幣束との同一性を確認することが可能になる。その結果、出金部へ搬送された紙幣束が、取り忘れが起きたことを受けて回収される前に、別の紙幣束にすり替えられたか否かを判定することができるようになる。そのことで、取り忘れた紙幣束を厳正に管理すると共に、その紙幣束を利用者へ確実に返却する上で有利になる。
【００１５】
また、前記束判別部は、前記束情報として、束情報として、前記紙幣束の帯封紙に印字されたデータを取得する、としてもよい。
【００１６】
ここで、「データ」には、各紙幣束に割り振られたＩＤや、紙幣束を形成している複数枚の紙幣の記番号などの情報が含まれる。これらのデータは、例えば２次元コードとして印字されてもよい。
【００１７】
この構成によると、束情報を、紙幣束の帯封紙から取得することができる。
【００１８】
また、前記束判別部は、前記束情報として、前記紙幣束を形成している紙幣の特徴情報を取得する、としてもよい。
【００１９】
ここで、「紙幣の特徴情報」には、紙幣束の下面又は上面を形成している紙幣の金種、及び真偽などが含まれる。
【００２０】
この構成によると、束情報を、紙幣束を形成している紙幣から取得することができる。
【００２１】
また、前記束判別部は、前記紙幣束の紙面から前記束情報を取得するラインセンサを有する、としてもよい。
【００２２】
この構成によると、束判別部は、ラインセンサを用いることにより、紙幣束の一面から束情報を取得することができる。
【００２３】
また、前記出金処理を行うように操作した利用者を特定するための利用者情報を取得する利用者判別部を備え、前記制御部は、前記利用者判別部により取得された利用者情報と、前記束判別部により取得された束情報とを紐付けるよう構成されている、としてもよい。
【００２４】
ここで、「利用者情報」には、キャッシュカード等のカード情報や、カメラにより撮像された画像データなどが含まれる。
【００２５】
この構成によると、束情報と利用者情報とを紐付けることにより、取り忘れが起きたことを受けて回収された紙幣束と、その紙幣束を出金するよう操作した利用者とを関連付けることができるから、紙幣束を返却するべき利用者を特定することが可能になる。
【００２６】
また、前記利用者判別部は、前記利用者の画像データを取得する撮像手段を有し、前記制御部は、前記利用者情報として、前記撮像手段により取得された前記画像データを前記束情報と紐付ける、としてもよい。
【００２７】
この構成によると、利用者情報を、利用者の画像データから取得することができる。
【００２８】
また、前記制御部は、前記出金処理を利用した一取引に関する取引情報と、前記束判別部により取得された束情報とを紐付けるよう構成されている、としてもよい。
【００２９】
この構成によると、束情報と取引情報とを紐付けることにより、取り忘れが起きたことを受けて回収された紙幣束と、その紙幣束に関する取引とを関連付けることができるから、取り忘れが起きた取引を特定することが可能になる。
【００３０】
また、前記制御部は、前記取引情報として、前記出金処理によって搬送された紙幣束の総額を前記束情報と紐付ける、としてもよい。
【００３１】
この構成によると、取引情報として、出金された金額を用いることができる。
【００３２】
また、前記制御部は、前記取引情報として、前記出金処理が実行された時刻を前記束情報と紐付ける、としてもよい。
【００３３】
この構成によると、取引情報として、出金処理が行われた時刻を用いることができる。
【００３４】
また、前記第２の収納部は、前記回収処理によって回収した前記紙幣束を収容する専用の収納部である、としてもよい。
【００３５】
この構成によると、第２の収納部として、専用の収納部を用いることができる。
【００３６】
また、前記紙幣束を収容する複数のカセットを備え、前記複数のカセットは、前記収納部を構成するカセットと、前記第２の収納部を構成するカセットとを有する、としてもよい。
【００３７】
この構成によると、複数のカセットを、収納部を構成するものと、第２の収納部を構成するものとに区分することにより、カセットを追加したり、収納スペースを新設したりすることなく、第２の収納部を構成することができる。
【発明の効果】
【００３８】
以上説明したように、前記の紙幣処理装置によると、取り忘れた紙幣束を、次の取引に支障を来すことなく回収及び保管することができる。
【図面の簡単な説明】
【００３９】
【図１】図１は、紙幣処理装置の外観図である。
【図２】図２は、紙幣処理装置の概略構成図である。
【図３】図３は、紙幣処理装置の制御ブロック図である。
【図４】図４は、出金処理及び回収処理のフローチャートである。
【発明を実施するための形態】
【００４０】
以下、実施形態を図面に基づいて詳細に説明する。
【００４１】
〈紙幣処理装置の全体構成〉
図１は紙幣処理装置１００の外観図を示し、図２は紙幣処理装置１００の概略構成図を示す。紙幣処理装置１００は、複数枚（この例では１００枚）の紙幣Ｂが帯封紙Ｐにより結束された紙幣束Ｗ（いわゆる小束）を出金する小束出金機である。紙幣処理装置１００は、例えば銀行のＡＴＭ等に併設され、不特定多数の利用者との現金取引に利用される。
【００４２】
紙幣処理装置１００は、外部と連通可能な出金部２と、紙幣束Ｗが収納された収納部３と、紙幣束Ｗを収納可能に構成された、収納部３とは別体の回収ボックス４と、紙幣束Ｗを収納部３と出金部２との間で搬送したり、出金部２と回収ボックス４との間で搬送したりする搬送部５と、出金部２、収納部３、回収ボックス４、及び搬送部５を収容する箱状の筐体１とを備えている。
【００４３】
また、紙幣処理装置１００は、図３に示すように、搬送部５により搬送される紙幣束Ｗを識別する束判別部８と、紙幣処理装置１００を操作する利用者を識別する利用者判別部９と、紙幣処理装置１００全体を制御する制御部１２０とを備えている。
【００４４】
制御部１２０は、後述の如く、紙幣束Ｗを収納部３から出金部２まで搬送した後に、出金部２のシャッター２１を開く出金処理を行うように構成されている。
【００４５】
筐体１は、上面及び下面と、４つの側面とを有している。以下、４つの側面のうち、図１の左方手前側に面する縦長の側面を「前面」と称し、この前面の反対側に面する側面を「後面」と称する。また、前面、及び後面が面する方向を、それぞれ、「前方」、及び「後方」と称する。
【００４６】
筐体１の上面には、紙幣処理装置１００を操作する利用者に対するヒューマンインターフェース部分である表示操作部１１０が立設されている。表示操作部１１０は、前方に向かって面するタッチパネル１１１と、タッチパネルの１１１の下方に配置された数字入力部１１２とを有している。タッチパネル１１１は、紙幣処理装置１００への情報を入力する操作部であり且つ、紙幣処理装置１００の情報を表示する表示部である。数字入力部１１２は、暗証番号や金額などの数字を入力するキーボードである。また、タッチパネル１１１の上方には、撮像手段としてのカメラ９１が配置されている。
【００４７】
筐体１内における前部上端の隅部には、出金部２が区画されている。出金部２は、横引き式のシャッター２１により開閉され、シャッター２１が開いたとき、筐体１外の空間と連通する。出金部２は、出金処理における搬送先であり且つ、後述の回収処理における搬送元である。
【００４８】
収納部３は、前後方向に一列に配置された５つのカセット３１ａ〜３１ｅを有している。これらのカセット３１ａ〜３１ｅは、紙幣束Ｗを金種別に収納している。５つのカセット３１ａ〜３１ｅは、カセット単位で着脱可能であり、それぞれの上端の開口部を開閉可能な開閉板３３が設けられている。また、各カセット３１ａ〜３１ｅの内部には昇降ステージ３２が設けられている。紙幣束Ｗは、昇降ステージ３２の上に積み上がる。５つのカセットを区別しないときには、単に「カセット３１」と称する。
【００４９】
回収ボックス４は、回収処理によって回収した紙幣束Ｗを収容する専用の収納部であり、筐体１の前面に沿って配置されたボックス部４１を有している。ボックス部４１は、前面側が開放された箱状に形成されている。ボックス部４１の内部には、紙幣束Ｗを載せて昇降可能な昇降ステージ４２が設けられている。回収ボックス４は、
昇降ステージ４２の上に紙幣束Ｗを積み上げることにより、紙幣束Ｗをボックス部４１内に収納することができる。ボックス部４１の開放部は、筐体１の前面に取り付けられた、施錠式の扉部１１により開閉される。扉部１１が解錠されて開いたときに、ボックス部４１内に収納された紙幣束Ｗを取り出すことができる。尚、回収ボックス４は、「第２の収納部」の一例である。
【００５０】
搬送部５は、図２に示すように、紙幣束を上下方向に搬送するための昇降手段６と、昇降手段６と収納部３との間で紙幣束Ｗを水平方向に搬送するためのベルト手段７とを有している。
【００５１】
昇降手段６は、図２に示すように、回収ボックス４の後方に配置されている。昇降手段６は、上下に延びる通路として形成されており、その内部には、紙幣束Ｗを載せて昇降する昇降ステージ６１が設けられている。昇降ステージ６１の上面側には、前下がりに傾斜するように傾動可能な傾斜板６２が設けられている。昇降手段６の上端は、出金部２の下端に連通している。昇降ステージ６１がその上端まで上昇したとき、昇降ステージ６１に載置された紙幣束Ｗは、昇降手段６から出金部２へ移動することになる。また、昇降手段６の下側部分は、シャッター開閉式の回収口６３を通じて、回収ボックス４と連通可能になっている。
【００５２】
ベルト手段７は、最後尾に位置するカセット３１ｅの上方から、昇降手段６内まで前方に延びる搬送ベルト７１を有している。搬送ベルト７１は、前後一対のプーリ７３、７４の間に掛け回されている。搬送ベルト７１の外面には、複数のピン７２が水平方向に所定間隔で突設されている。また、前後一対のプーリ７３、７４の間には、第３のプーリ７５が配置されている。ベルト手段７のうち昇降手段６内まで入り込んだ部分７ａは、第３のプーリ７５の回転軸を中心として、上方へ９０°揺動可能となっている（図２の鎖線部参照）。当該部分７ａは、上方へ揺動することにより、昇降手段６内から待避することができる。そうすることで、昇降する昇降ステージ６１と、ベルト手段７との間の干渉が防止される。
【００５３】
ベルト手段７と各カセット３１ａ〜３１ｅとの間には、左右方向（図２の紙面に垂直な方向）に開閉する開閉板３３が設けられている。また、各カセット３１ａ〜３１ｅに対応する開閉板３３同士の間には、それぞれ仕切板３５が設けられている。また、最前方に位置するカセット３１ａに対応する開閉板３３の前方には、ラインセンサ８１が上向きに配置されている。
【００５４】
カセット３１ａ〜３１ｅのいずれかより繰り出された紙幣束Ｗは、水平方向へ移動するピン７２に押されることにより、搬送ベルト７１の下面と、開閉板３３、仕切板３５及び束判別部８の上面との間に形成される通路に沿って搬送される。
【００５５】
束判別部８は、ベルト手段７によって搬送される紙幣束Ｗの一束一束について、その紙幣束Ｗを特定するための束情報を取得する。束判別部８は、ラインセンサ８１を有している。ラインセンサ８１は、紙幣束Ｗの下面を読み取ることにより、束情報として、帯封紙Ｐに印字されたデータ、及び、その紙幣束Ｗを形成している紙幣Ｂの特徴情報等を取得する。帯封紙Ｐに印字されたデータには、紙幣束Ｗごとに割り振られた束ＩＤ、及び、紙幣束Ｗを形成している紙幣１００枚の記番号等が含まれる。そうしたデータは、例えば２次元コードとして印字されている。また、紙幣Ｂの特徴情報には、紙幣束Ｗの下面を形成している紙幣Ｂの金種、及び真偽などが含まれる。
【００５６】
尚、束判別部８は、帯封紙Ｐに印字されたデータ、及び、紙幣束Ｗを形成している紙幣Ｂの特徴情報等を取得するためのセンサであれば、ラインセンサには限られない。
【００５７】
利用者判別部９は、紙幣処理装置１００を操作する利用者の一人一人について、その利用者を特定するための利用者情報を取得する。利用者判別部９は、前述のカメラ９１を有している。カメラ９１は、タッチパネル１１１、又は数字入力部１１２を操作した利用者を撮像することにより、利用者情報としての画像データを取得する。
【００５８】
利用者判別部９は、利用者の認証に必要な情報によっても、利用者情報を取得する。そうした情報には、例えば、キャッシュカード等のカード情報、及び、利用者の一人一人に付与されたＩＤ等が含まれる。利用者判別部９は、それらの情報を記憶する手段を有していてもよい。
【００５９】
〈紙幣処理装置のシステム構成〉
図３は、紙幣処理装置１００のシステム構成を示す機能ブロック図である。
【００６０】
紙幣処理装置１００は、例えば周知のマイクロコンピュータをベースとした制御部１２０を備えている。制御部１２０には、前述した出金部２、収納部３、回収ボックス４、搬送部５、束判別部８、利用者判別部９及び表示操作部１１０が、信号の送受信可能に接続されている。また、制御部１２０には、出金部２における紙幣束の有無を検知する残留センサ２２が接続され、その検知信号が入力されるように構成されている。なお、残留センサ２２は、出金部２の中に設けられている（不図示）。さらに、制御部１２０には、各種の情報を記憶する記憶部１３１、有線又は無線の通信線を介して上位端末（例えばサーバ）１４０に対し信号を入出力する通信部１３２がそれぞれ接続され、制御部１２０と、記憶部１３１及び通信部１３２との間で、各種の信号を入出力するように構成されている。
【００６１】
制御部１２０は、束判別部８により取得された束情報と、利用者判別部９により取得された利用者情報、及び、出金処理に関する取引情報とを紐付けるよう構成されている。束情報は、利用者情報及び取引情報と紐付けられた状態で、記憶部１３１に記憶される。また、利用者情報を構成している画像データは、通信部１３２を介して上位装置１４０に記憶される。記憶部１３１には、上位装置１４０に記憶された画像データを参照するために必要な情報（画像ＩＤ）が記憶される。
【００６２】
尚、取引情報は、出金処理を利用した一取引に関する情報であり、出金処理によって搬送された紙幣束Ｗの金額（一取引における出金金額）と、出金処理が実行された時刻を含む。取引情報は、記憶部１３１に記憶される。
【００６３】
制御部１２０は、表示操作部１１０からの入力信号、及び、各種センサからの検知信号等に基づいて制御信号を生成し、出金部２等へ該制御信号を出力する。出金部２等は、その制御信号に従って動作する。
【００６４】
制御部１２０は、紙幣処理装置１００において各種の処理を行う。具体的には、以下で詳述するように、制御部１２０は、前述の出金処理と、出金処理によって搬送された紙幣束Ｗの取り忘れが起きたと判定した場合、その紙幣束Ｗを出金部２から回収して回収ボックス４に収納する回収処理とを行うように構成されている。
【００６５】
〈紙幣処理装置の動作説明〉
初めに、紙幣処理装置１００の出金処理及び回収処理について、図４のフローチャートを参照しながら詳細に説明する。図４は、出金処理及び回収処理のフローチャートである。
【００６６】
まず、制御部１２０は、タッチパネル１１１上に入力画面を表示する（ステップＳ１）。利用者は、タッチパネル１１１等を介して、出金金額や、利用者の認証に必要な情報を入力する（ステップＳ２）。後者の情報には、前述のカード情報等が含まれる。制御部１２０は、入力された情報に基づいて利用者を認証する。
【００６７】
また、ステップＳ２においては、カメラ９１が利用者を撮像する。制御部１２０は、撮像された画像データを上位装置１４０へ送信する。また、制御部１２０は、出金金額については、取引情報として記憶部１３１に記憶させる一方、利用者の認証に必要な情報、及び、画像ＩＤについては、利用者情報として記憶部１３１に記憶させる。
【００６８】
利用者が認証された場合、出金処理Ｓ３が行われる。出金処理Ｓ３においては、ステップＳ３１〜Ｓ３７が行われる。また、出金処理Ｓ３の最中に所定の条件を満たした場合には、出金処理Ｓ３から回収処理Ｓ４へ移行する。回収処理Ｓ４においては、ステップＳ４１〜Ｓ４４が行われる。
【００６９】
ステップＳ３１において、制御部１２０が出金処理を開始する。詳しくは、制御部１２０は、利用者により取引実行キーが押下されたときに、出金処理を開始する。制御部１２０は、取引実行キーが押下された時刻を、取引情報を構成する情報の一部として記憶部１３１に記憶させる。
【００７０】
続くステップＳ３２において、制御部１２０から入力された制御信号を受けて、収納部３及び搬送部５が紙幣束Ｗを搬送する。収納部３は、利用者により入力された出金金額に基づいて、搬送すべき紙幣束Ｗが収納されたカセット３１に対応する開閉板３３を開く。収納部３は、その紙幣束Ｗを載せた昇降ステージ３２を上昇させて、紙幣束Ｗをカセット３１から繰り出す。繰り出された紙幣束Ｗは、ベルト手段７によって昇降手段６まで搬送される。昇降手段６まで搬送された紙幣束Ｗは、昇降ステージ６１上に載置される。出金金額分の紙幣束が載置されると、ベルト手段７のうち昇降手段６内まで入り込んだ部分７ａが待避した後に、昇降ステージ６１が上昇する。それにより、出金金額分の紙幣束Ｗが、出金部２まで搬送される。
【００７１】
また、ステップＳ３２においては、ラインセンサ８１が紙幣束Ｗの下面を読み取る。制御部１２０は、ラインセンサ８１が読み取った束ＩＤを、束情報として記憶部１３１に記憶させる。束情報は、対応する利用者情報及び取引情報と紐付けられた状態で記憶される。
【００７２】
続くステップＳ３３において、制御部１２０から入力された制御信号を受けて、出金部２のシャッター２１が開く。シャッター２１が開くことにより、利用者は、出金部２まで搬送された紙幣束Ｗを取り出すことができる。
【００７３】
続くステップＳ３４において、制御部１２０は、シャッター２１が開いた時点から、所定時間のカウントを開始する。この所定時間は、予め記憶部１３１に記憶されており、この例では、１分間に設定されている。
【００７４】
続くステップＳ３５において、制御部１２０は、前記所定時間が経過したか否かを判定する。経過していないときには、ステップＳ３６で紙幣束Ｗが取り出されたか否かを判定する。この判定は、前記残留センサ２２からの検知信号に基づいて行われる。紙幣束Ｗが残っているときにはステップＳ３５に戻る。従って、ステップＳ３５及びＳ３６により、所定時間内に紙幣束Ｗが取り出されたか否かが判定される。所定時間内に紙幣束Ｗが取り出された場合には、ステップＳ３７へ進み、シャッター２１を閉じて終了する。一方で、所定時間内に紙幣束Ｗが取り出されなかった場合、すなわちタイムアウトした場合には、ステップＳ４１へ進む。
【００７５】
ステップＳ４１へ進んだ場合、すなわち所定時間内に紙幣束Ｗが取り出されなかった場合には、制御部１２０は、紙幣束Ｗの取り忘れが起きたものと判定し、紙幣束Ｗの回収処理Ｓ４を開始する。
【００７６】
続くステップＳ４２において、制御部１２０は、シャッター２１を閉じる。
【００７７】
続くステップＳ４３において、制御部１２０は、ステップＳ３６と同様に、紙幣束Ｗが取り出されたか否かを判定する。このステップＳ４３は、紙幣束Ｗの取り忘れが起きたと判定されてからシャッター２１が閉じるまでの間に、紙幣束Ｗが取り出されたか否かをチェックするためのステップである。紙幣束Ｗが取り出されていた場合には、続くステップＳ４４をスキップして終了する。一方で、依然として紙幣束Ｗが取り出されていなかった場合には、ステップＳ４４へ進み、紙幣束Ｗを回収して保管する。
【００７８】
ステップＳ４４において、制御部１２０は、紙幣束Ｗを出金部２から回収し、回収ボックス４に収納する。詳しくは、制御部１２０は、ベルト手段７のうち昇降手段６内まで入り込んだ部分７ａを待避させる。そして、制御部１２０は、昇降ステージ６１を昇降手段６の下部まで下降させる。昇降ステージ６１を下降させた後、回収口６３のシャッターを開き、傾斜板６２が前下がりに傾斜することで、紙幣束Ｗが回収口６３を通じて放出される。放出された紙幣束Ｗは、回収ボックス４内の昇降ステージ４２上に積み上げられる。
【００７９】
回収ボックス４に収納された紙幣束Ｗは、取り忘れをした利用者の申し出があれば、所定の係員（例えば銀行員）が筐体１の扉部１１を解錠して開くことにより、利用者へ返却される。このとき、係員は、その紙幣束Ｗに関する束情報と、その束情報に紐付けられた取引情報、及び利用者情報とを照合することにより、取り忘れが起きた現金取引、及び、紙幣束Ｗを返却すべき利用者を特定する。
【００８０】
〈まとめ〉
以上説明したように、紙幣処理装置１００は、出金処理において搬送される紙幣束Ｗが収納された収納部３とは別に、回収処理Ｓ４において回収された紙幣束Ｗが収納される回収ボックス４を備えている。よって、取り忘れた紙幣束Ｗは、出金部２に留まることなく、回収ボックス４に束単位で収納されることになる。そのことで、取り忘れた紙幣束Ｗを、次の取引に支障を来すことなく回収及び保管することができる。紙幣処理装置１００は、紙幣束Ｗの取り忘れがあっても、継続して使用することが可能になる。
【００８１】
また、束判別部８が束情報を取得することにより、回収された紙幣束Ｗを特定することが可能となる。そのことで、回収ボックス４に収納された紙幣束Ｗを厳正に管理すると共に、その紙幣束Ｗを利用者へ確実に返却する上で有利になる。
【００８２】
また、束情報と利用者情報とを紐付けることにより、取り忘れが起きたことを受けて回収された紙幣束Ｗと、その紙幣束Ｗを出金するよう操作した利用者とを関連付けることができるから、紙幣束Ｗを返却するべき利用者を特定することが可能になる。
【００８３】
また、束情報と取引情報とを紐付けることにより、取り忘れが起きたことを受けて回収された紙幣束Ｗと、その紙幣束Ｗに関する取引とを関連付けることができるから、取り忘れが起きた取引を特定することが可能になる。
【００８４】
〈〈他の実施形態〉〉
前記実施形態について、以下のような構成としてもよい。
【００８５】
前記実施形態では、紙幣処理装置１００は、収納部３を構成する５つのカセット３１ａ〜３１ｅと、第２の収納部を構成する回収ボックス４とを備えていたが、この構成には限られない。例えば、５つのカセット３１は、収納部３を構成する４つのカセット３１ｂ〜３１ｅと、第２の収納部を構成する１つのカセット３１ａとを有している、としてもよい。
【００８６】
この構成によると、５つのカセット３１ａ〜３１ｅを、収納部３を構成するものと、第２の収納部を構成するものとに区分することにより、カセットを追加したり、回収ボックス４等の収納スペースを新設したりすることなく、第２の収納部を構成することができる。
【００８７】
さらに、カセット３１が第２の収納部を構成している場合、取り忘れが起きたことを受けて回収される紙幣束Ｗは、出金部２からカセット３１まで搬送されるときに、ラインセンサ８１の上方を通過することになる。このときに、紙幣束Ｗから束情報を取得することができる。つまり、束判別部８は、回収処理によって回収される紙幣束Ｗから、束情報を取得するように構成されている、としてもよい。さらに、制御部１２０は、出金処理において取得された束情報と、回収処理において取得された束情報とを照合する、としてもよい。
【００８８】
この構成によると、出金処理において取得された束情報と、回収処理において取得された束情報とを照合することによって、例えば、出金処理によって出金部２へ搬送された紙幣束Ｗと、回収ボックス４に収納した紙幣束Ｗとの同一性を確認することが可能になる。その結果、出金部２へ搬送された紙幣束Ｗが、取り忘れが起きたことを受けて回収される前に別の紙幣束Ｗにすり替えられたか否かを判定することができるようになる。そのことで、取り忘れた紙幣束Ｗを厳正に管理すると共に、その紙幣束Ｗを利用者へ確実に返却する上で有利になる。
【００８９】
尚、紙幣束Ｗがすり替えられたと判定した場合、制御部１２０は、紙幣束Ｗの回収処理を中断する、としてもよい。
【符号の説明】
【００９０】
１００  紙幣処理装置
２      出金部
３      収納部
３１    カセット
４      回収ボックス（回収部）
８      束判別部
８１    ラインセンサ
９      利用者判別部
９１    カメラ
１２０  制御部
Ｗ      紙幣束
Ｐ      帯封紙
Ｂ      紙幣
【図１】
2017117123.tif 000003
【図２】
2017117123.tif 000004
【図３】
2017117123.tif 000005
【図４】
2017117123.tif 000006